(57)【要約】【課題】  １枚の台紙で箱体を組み立て構成し，その各面を形成している壁板からその一部を切り起こすことにより，全体で所要の動物等を具現化し，児童が，意外性を感じ，動物等に対する興味，物作りの面白さ等を感得できるようにする。【解決手段】  台紙ａ，ｃ，ｅを複数の壁板１〜６，２１〜２６，４１〜４６に折曲して組み立てる内空の箱体ｂ，ｄ，ｆが，その壁板の少なくとも２以上のものに，当該動物，乗り物，建造物または風景等の一つの纏まりのある具体的形態を構成する所要各部を切込み線７１，７２，７３， ・ ・ ・で表し，その所要各部を，該切込み線７１，７２，７３ ，・ ・ ・から切り起こし適宜展延することによって，上記一つの纏まりのある具体的形態を具現できるようにしてなる置物おもちゃ。【選択図】  図６
0003120779.tif 000002
【実用新案登録請求の範囲】
【請求項１】
台紙を複数の壁板に折曲して組み立てる内空の箱体が，その壁板の少なくとも２以上のものに，当該動物，乗り物，建造物または風景等の一つの纏まりのある具体的形態を構成する所要各部を切込み線で表し，その所要各部を，該切込み線から切り起こし適宜展延することによって，上記一つの纏まりのある具体的形態を具現できるようにしてなることを特徴とする置物おもちゃ。
【請求項２】
上記一つの纏まりのある具体的形態を構成する所要各部を切込み線と折曲線で表し，その所要各部を，該切込み線から切り起こすとともに上記折曲線で折曲することにより適宜展延することによって，上記一つの纏まりのある具体的形態を具現できるようにしてなることを特徴とする請求項１記載の置物おもちゃ。
【請求項３】
当該動物が，象，亀，鰐，麒麟または孔雀であることを特徴とする請求項１または２記載の置物おもちゃ。
【請求項４】
台紙が無地または所要の絵柄を印刷してなることを特徴とする請求項１，２または３記載の置物おもちゃ。
【請求項５】
台紙がフィルム加工により補強されていることを特徴とする請求項１，２，３または４記載の置物おもちゃ。
【請求項６】
箱体が６面体であることを特徴とする請求項１，２，３，４または５記載の置物おもちゃ。
【考案の詳細な説明】
【技術分野】
【０００１】
本考案は，内空の箱体の各面を形成している全部の壁板または一部の壁板から，その所要部位を切り起こすことによって，全体として，所要の動物，乗り物，建造物または風景等を表すことができるようにした置物おもちゃに関する。
【背景技術】
【０００２】
従来，台紙を折り曲げて乗り物等の立体を形成すること（非特許文献１），複数枚のパーツを組み合わせて立体を形成すること，あるいは，冊子またはグリーティングカード等を開いたとき，その頁間に折り畳まれていたものが立体化するようにしたもの（特許文献１〜５）が知られている。
【特許文献１】特開平８−１９１９６１号公報
【特許文献２】特開平９ー２０１４７９号公報
【特許文献３】特開２００１−６２１６１号公報
【特許文献４】実開昭６１−１３６９５８号公報
【特許文献５】登録実用新案第３００８９７１号公報
【非特許文献１】コクヨ紙クラフトシリーズ［はこでん／特長］［ｏｎｌｉｎｅ］，コクヨＳ＆Ｔ株式会社，［平成１８年１月１２日検索］，インターネット＜http://www.kokuyo.co.jp/stationary/hako/hakoden/01.html＞
【考案の開示】
【考案が解決しようとする課題】
【０００３】
本考案は，上記従来のものとは異なり，１枚の台紙で箱体を組み立て構成しておき，その各面を形成している壁板からその一部を切り起こすことにより，全体で所要の動物等を具現化し，これによって，特に児童が，意外性を感じ，動物等に対する興味，物作りの面白さ等を感得できるようにしようとするものである。
【課題を解決するための手段】
【０００４】
本考案は，台紙を複数の壁板に折曲して組み立てる内空の箱体が，その壁板の少なくとも２以上のものに，当該動物，乗り物，建造物または風景等の一つの纏まりのある具体的形態を構成する所要各部を切込み線で表し，その所要各部を，該切込み線から切り起こし適宜展延することによって，上記一つの纏まりのある具体的形態を具現できるようにしてなる置物おもちゃである。
【０００５】
上記本考案において，上記一つの纏まりのある具体的形態を構成する所要各部を切込み線と折曲線とで表し，その所要各部を，該切込み線から切り起こすとともに上記折曲線で折曲することにより適宜展延することによって，上記一つの纏まりのある具体的形態を具現できるようにしてもよい。
【０００６】
上記本考案において，動物としては，以下の実施例に示す象，亀，鰐のほか麒麟または孔雀等にすることができ，かつ，これらに限定されるものではない。
【０００７】
上記本考案において，台紙としては，厚紙，合成紙，合成樹脂フィルムまたはシート等を採用でき，かつ，その表面を無地または所要の絵柄を印刷したものとすることができ，さらに，厚紙の場合には表面をフィルム加工（合成樹脂）により補強したものが好適である。
【０００８】
以下の実施例においては，上記箱体を６面のものにしているが，本考案では，その箱体を６面のものに限ることなくそれ以上または以下の面からなるものでもよい。
【考案の効果】
【０００９】
本考案置物おもちゃは，要するに，台紙を複数の壁板（天井部壁板，左右側部壁板，前後側部壁板または底部壁板等）により組み立てられた内空の箱体が，その壁板の少なくとも２以上のものに，当該動物，乗り物，建造物または風景等の一つの纏まりのある具体的形態を構成する所要各部を切込み線で表しているから，その所要各部を，該切込み線から切り起こし適宜展延することによって，上記箱体だけからは予想もできないような動物等の上記一つの纏まりのある具体的形態を具現でき，特に児童の興味をひくものである。
【００１０】
また，本考案置物おもちゃは，児童に，台紙から当該箱体を組み立たせるようにすることにより，物作りの面白さを体験させることもできる。
さらに，本考案置物おもちゃは，その内空の箱体に菓子等適宜の物品を収納する包装用容器として利用することもできる。
【考案を実施するための最良の形態】
【００１１】
台紙ａ，ｃ，ｅを複数の壁板１〜６，２１〜２６，４１〜４６に折曲して組み立てる内空の箱体ｂ，ｄ，ｆが，その壁板の少なくとも２以上のものに，当該動物，乗り物，建造物または風景等の一つの纏まりのある具体的形態を構成する所要各部を切込み線７１，７２，７３， ・ ・ ・で表し，その所要各部を，該切込み線７１，７２，７３ ，・ ・ ・から切り起こし適宜展延することによって，上記一つの纏まりのある具体的形態を具現できるようにしてなる置物おもちゃ。
【実施例】
【００１２】
第１実施例：
この実施例は象を表すようにしたもので，その構成を図１〜６により説明すると次のとおりである。
【００１３】
図１は，無地または所要の絵柄を印刷し，必要に応じ補強のためにフィルム加工をした台紙ａの展開内側面を示し，それは，長四角形の天井部壁板１の周囲に左右側部壁板２，３と前後側部壁板４，５を連設し，さらに前側部壁板４の外端辺縁に底部壁板６を連設してなる。
上記左右側部壁板２，３と底部壁板６は天井部壁板１と同大の長四角形であり，また，前後側部壁板４，５は同じ大きさの正方形をなしている。
【００１４】
上記天井部壁板１，前側部壁板４および底部壁板６に，切込み線７１，７２，７３ と折曲線７４，７５とにより象の頭部８の頂上部８１，主部８２および鼻９を正面から見た状態を表している。
上記天井部壁板１と左側部壁板２，同天井部壁板１と右側部壁板３のそれぞれに，切込み線１０１，１０２と折曲線１０３，１０４とにより象の左右の耳１１，１１を側面から見た状態を表している。
上記底部壁板６には，上記切込み線７３ が表す象の鼻９の両側のところに，切込み線１２１，１２１，１２２，１２２と折曲線１２３・ ・ ・とで象の前脚１３，１３と後ろ脚１４，１４を正面から見た状態を表している。
さらに，上記後側部壁板５に，切込み線１５を入れて象の尻尾１６を背面から見た状態を表している。
【００１５】
上記において，切込み線７１，７２，７３，１０１，１０２，１２１，１２２および
１５の各途中の一部に，容易にちぎりとることができる点状の繋ぎ部を必要に応じ残存させている。
【００１６】
２１，３１は天井部壁板１と左右側部壁板２，３との境界に形成した折曲線，４１，５１ は天井部壁板１と前後側部壁板４，５との境界に形成した折曲線，６１は前側部壁板４と底部壁板６との境界に形成した折曲線である。
【００１７】
２ａ，２ｂは左側部壁板２の両側短辺縁に折曲線２２ ，２３ を介して延出した折曲げ縁片，３ａ，３ｂは右側部壁板３の両側短辺縁に折曲線３２ ，３３ を介して延出した折曲げ縁片であり，上記折曲線２２ ，２３，３２ ，３３上には，切溝２４ ，２５，３４，３５を形成している。
【００１８】
４ａ，４ｂは前側部壁板４の両側短辺縁に折曲線４２ ，４３ を介して延出した挿込み片，５ａ，５ｂは後側部壁板５の両側短辺縁に折曲線５２ ，５３を介して延出した挿込み片，６ａ，６ｂは底部壁板６の両側長辺縁に折曲線６２ ，６３ を介して延出した折曲げ縁片である。
【００１９】
５ｃは後側部壁板５の遊端側辺縁に折曲線５４を介して延出した挿込み片，６ｃは底部壁板６の遊端側辺縁に折曲線６４を介して延出した折曲げ縁片であり，その折曲線６４上には，切溝６５を形成している。
【００２０】
上記構成の台紙ａは，例えば次のような手順（図２）で，図３，４に示す方形で内空の箱体ｂに組み立てられる。
【００２１】
まず，左右側部壁板２，３を折曲線２１，３１において折り曲げて天井部壁板１に対し直角に起立させるとともに，折曲げ縁片２ａ，２ｂおよび３ａ，３ｂを折曲線２２ ，２３ ，３２ ，３３において左右側部壁板２，３に対し直角に折り曲げ，かつ，前後側部壁板４，５を折曲線４１，５１ において天井部壁板１に対し直角に起立させた後，挿込み片４ａ，４ｂ，５ａ，５ｂをそれぞれ対向する切溝２４，３４ ，２５，３５に挿し込む。
【００２２】
さらに，底部壁板６の折曲げ縁片６ａ，６ｂ，６ｃを，折曲線６２ ，６３ ，６４で折り曲げて該底部壁板６に対し直角にするとともに，その底部壁板６を折曲線６１  において直角に折り曲げ，折曲げ縁片６ａ，６ｂ，６ｃを既に起立状態の上記左右側部壁板２，３および後側部壁板５の内側に重合させながら上記天井部壁板１に平行にし，かつ，後側部壁板５の挿込み片５ｃを対向する切溝６５に挿し込む。
【００２３】
これによって，図３に底部を上向きにして示し，図４に天井部を上向きにして示す，方形で内空の箱体ｂの組み立てが完了する。
上記において，折曲げ縁片２ａ，２ｂ，３ａ，３ｂ，６ａ，６ｂの各々に所要の接着剤を塗布して当該部分を固着するようにしてもよいが，各折り曲げ部分の折癖と，挿込み片４ａ，４ｂ，５ａ，５ｂ，５ｃの対向する切溝２４，３４ ，２５，３５，６５への挿込みだけでも上記組み立て完了状態を維持することができる。
【００２４】
この箱体ｂは，一見，単なる方形の何の変哲もないものに見える。
しかし，天井部壁板１，前側部壁板４および底部壁板６に象の頭部８の頂上部８１，主部８２および鼻９を，天井部壁板１と左側部壁板２，天井部壁板１と右側部壁板３のそれぞれに，象の左右の耳１１，１１を，底部壁板６に象の前脚１３，１３と後ろ脚１４，１４を，さらに，後側部壁板５に象の尻尾１６を，それぞれ切込み線等により表しているから，これら頭部８の頂上部８１，主部８２および鼻９，耳１１，１１，前脚１３，１３と後ろ脚１４，１４，および尻尾１６を，対応する切込み線７１，７２，７３ ，切込み線１０１，１０２，切込み線１２１，１２１，１２２，１２２，切込み線１５から切り離すとともに，折曲線７４，７５，１０３，１０４，１２３・ ・ ・等を利用して折曲しながら外方に適宜展延する。
【００２５】
これにより，天井部壁板１，左右側部壁板２，３および前後側部壁板４，５が胴体をなした所定の象の形態を具現化できるものである（図５，６）。
【００２６】
第２実施例：
この実施例は亀を表すようにしたもので，その構成を図７〜１２により説明すると次のとおりである。
【００２７】
図７は，無地または所要の絵柄を印刷し，必要に応じ補強のためにフィルム加工をした台紙ｃの展開内側面を示し，それは，略正方形の天井部壁板２１の周囲に，折曲線２１１，２１２，２１３，２１４を介して長四角形で同大の左右側部壁板２２，２３と，同じく長四角形で同大の前後側部壁板２４，２５を連設し，さらに，前側部壁板２４の外端辺縁には折曲線２４１を介し上記天井部壁板２１と同形同大の底部壁板２６を連設してなる。
【００２８】
上記左右側部壁板２２，２３は，その略中央に，亀の甲羅左右部位２７，２８を表す弧状切込み線２７１，２８１と折曲線２７２，２８２で囲繞形成している。
また，上記左右側部壁板２２，２３は，その各外端辺縁に折曲線２２１，２３１を介して支承片２９，３０を連設している。
【００２９】
３１，３１は，上記左側部壁板２２と支承片２９に折曲線２２１を跨いで入れた切込み線３１１，３１１と折曲線３１２，３１２とにより表した亀の左側前後脚であり，３２，３２は，上記右側部壁板２３と支承片３０に折曲線２３１を跨いで入れた切込み線３２１，３２１と折曲線３２２，３２２により表した亀の右側前後脚である。
【００３０】
３３は，上記前側部壁板２４に入れた変形弧状切込み線３３１と折曲線３３２とにより囲繞形成して表した亀の甲羅前部位，３４は，上記前側部壁板２４と底部壁板２６に折曲線２４１を跨いで入れた切込み線３４１と折曲線３４２により表した亀の首と頭部，３５は，上記後側部壁板２５に入れた変形弧状切込み線３５１と折曲線３５２とにより囲繞形成して表した亀の甲羅後部位，さらに，３６は，同後側部壁板２５に入れた切込み線３６１により表した亀の尻尾である。
【００３１】
２４ａ，２４ｂは，前側部壁板２４の左右側辺縁に折曲線２４２，２４３を介して延設した折曲げ縁片で，その折曲線２４２，２４３上に切溝２４４，２４５を形成している。
【００３２】
２５ａ，２５ｂは，後側部壁板２５の左右側辺縁に折曲線２５２，２５３を介して延設した折曲げ縁片で，その折曲線２５２，２５３上に切溝２５４，２５５を形成している。
【００３３】
２２ａ，２２ｂは，上記左側部壁板２２の前後側辺縁に折曲線２２２，２２３を介して延設した挿込み片であり，２３ａ，２３ｂは，上記右側部壁板２３の前後側辺縁に折曲線２３２，２３３を介して延設した挿込み片である。
【００３４】
２５ｃは，上記後側部壁板２５の外端辺縁に折曲線２５６を介して延設した挿込み片で，２６ａは，上記底部壁板２６の外端辺縁に折曲線２６１を介して延設した挿込み片で，その折曲線２６１上に切溝２６２を形成している。
【００３５】
上記において，各切込み線は，その各途中の一部に，容易にちぎりることができる点状の繋ぎ部を必要に応じ残存させている。
【００３６】
上記構成の台紙ｃは，例えば次のような手順（図８参照）で，図９，１０に示す方形で内空の箱体ｄに組み立てられる。
【００３７】
まず，前後側部壁板２４，２５を折曲線２１３，２１４において天井部壁板２１に対し直角に起立させるとともに，折曲げ縁片２４ａ，２４ｂ，２５ａ，２５ｂをその前後側部壁板２４，２５に対し直角になるように折り曲げる。
【００３８】
次に，左右側部壁板２２，２３を折曲線２１１，２１２において折り曲げて同じく天井部壁板２１に対し直角に起立させるとともに，挿込み片２２ａ，２２ｂ，２３ａ，２３ｂを左右側部壁板２２，２３に対し直角に折り曲げ，それらを，切溝２４４，２４５，２５４，２５５に挿し込む。
【００３９】
さらに，支承片２９，３０を折曲線２２１，２３内空の箱体で上記左右側部壁板２２，２３に対し直角に折り曲げるとともに，底部壁板２６を折曲線２４１において直角に折り曲げて上記支承片２９，３０に重合し，かつ，挿込み片２６ａを折曲線２６１で直角に折り曲げて，既に起立している上記後側部壁板２５の内側に差し込み重合するとともに，挿込み片２５ｃを切溝２６２に挿し込む。
【００４０】
これによって，図９に底部を上向きにして示す，方形で内空の箱体ｄの組み立てが完了する。
上記において，折曲げ縁片の各々に所要の接着剤を塗布して当該部分を固着することもできるが，各折り曲げ部分の折癖と，挿込み片の対向する切溝への挿込みだけで上記組み立て完了状態を維持ができるもので，このことは，実施例１の場合と同様である。  
【００４１】
この箱体ｄもまた実施例１の箱体ｂの場合と同じように，一見，単なる方形の何の変哲もないものに見える。
しかしながら，左右側部壁板２２，２３の略中央に亀の甲羅左右部位２７，２８を表し，前側部壁板２４に甲羅前部位３３を表すとともに後側部壁板２５に甲羅後部位３５と尻尾３６を表し，上記前側部壁板２４と底部壁板２６に亀の首と頭部３４を表し，さらには，左側部壁板２２と支承片２９にわたり亀の左側前後脚３１，３１を表し，右側部壁板２３と支承片３０にわたって亀の右側前後脚３２，３２を表しているので，これら甲羅左右部位２７，２８，甲羅前部位３３，甲羅後部位３５，尻尾３６，首と頭部３４，左側前後脚３１，３１および右側前後脚３２，３２を，それぞれに対応する切込み線から切り離すとともに，折曲線２７２，２８２，３２２，３３２，３４２，３５２等を利用し折曲しながら外方に適宜展延する。
【００４２】
これによって，天井部壁板２１，左右側部壁板２２，２３および前後側部壁板２４，２５が胴体をなした所定の亀の形態を具現化できるものである（図１１，１２）。
【００４３】
第３実施例：
この実施例は鰐を表すようにしたもので，その構成を図１３〜１７により説明すると次のとおりである。
【００４４】
図１３は，無地または所要の絵柄を印刷し，必要に応じ補強のためにフィルム加工をした台紙ｅの展開内側面を示し，それは，長四角形の天井部壁板４１の両側長辺縁に折曲線４１１，４１２を介して同じく長四角形の左右側部壁板４２，４３を連設するとともに，同天井部壁板４１の前側短辺縁に折曲線４１３を介して前側部壁板４４を連設し，さらに，その前側部壁板４４の外端辺縁に折曲線４４４介して上記天井部壁板４１と同形同大の底部壁板４５を連設し，かつ，その底部壁板４５の外端辺縁に折曲線４５１を介して上記前側部壁板４４と同形同大の後側部壁板４６を連設している。
【００４５】
上記天井部壁板４１は，鋸歯状切込み線４７と折曲線４７１，４７２，４７３，４７４，４７５で鰐の上顎部４８を囲繞表示し，上記底部壁板４５は，上記折曲線４４１寄りに一部鋸歯状切込み線４９と折曲線４９１で鰐の下顎部５０を，また，上記折曲線４５１寄りに一部段付き切込み線５１１と折曲線５１２で鰐の尻尾５１を囲繞表示している。
【００４６】
上記左側部壁板４２は，切込み線５２と折曲線５２１，切込み線５３と折曲線５３１で鰐の左前後の脚５４，５５を囲繞表示し，また，上記右側部壁板４３は，切込み線５６と折曲線５６１，切込み線５７と折曲線５７１で鰐の右前後の脚５８，５９を囲繞表示している。
【００４７】
６０は，上記左側部壁板４２の外側長辺縁に折曲線６０１を介して連設した支承片であり，その折曲線６０１の中央部分に切溝６０２を形成している。６１は，上記右側部壁板４３の外側長辺縁に折曲線６１１を介して連設した支承片であり，その折曲線６１１の中央部分に切溝６１２を形成している。
【００４８】
６２，６３は，上記左側部壁板４２の前後側辺縁に折曲線６２１，６３１を介して突設した折曲げ縁片，６４，６５は，上記右側部壁板４３の前後端辺縁に折曲線６４１，６５１を介して突設した折曲げ縁片，６６，６７は，上記底部壁板４５の左右辺縁の中央部分に折曲線６６１，６７１を介して突設した挿込み片である。
【００４９】
６８は，上記天井部壁板４１の後側短辺縁に折曲線６８１を介して突設した折曲げ縁片であり，その折曲線６８１の中央部分に切溝６８２を形成している。
６９は，上記後側部壁板４６の外端辺縁に折曲線６９１を介して突設した挿込み片である。
【００５０】
上記において，各切込み線は，実施例１，２の場合と同じように，その各途中の一部に，容易にちぎりることができる点状の繋ぎ部を必要に応じ残存させている。
【００５１】
上記構成の台紙ｅは，例えば次のような手順（図１４参照）で，図１５に示す方形で内空の箱体ｆに組み立てられる。
【００５２】
まず，左右側部壁板４２，４３を折曲線４１１，４１２において天井部壁板４１に対し直角に折り曲げ起立させるとともに，支承片６０，６１および折曲げ縁片６２，６３，６４，６５を同左右側部壁板４２，４３に対し直角になるように折り曲げ，かつ，折曲げ縁片６８を天井部壁板４１に対し直角になるように起立し，上記折曲げ縁片６４，６５に重合させる。
【００５３】
さらに，前側部壁板４４を折曲線４１３で折曲起立し，既に起立している上記折曲げ縁片６２，６４に重合させる。
そして，底部壁板４５を，起立している上記前側部壁板４４に対し折曲線４４４において直角に折り曲げて上記天井部壁板４１に対し平行になるようにして，既に折り曲げられている上記支承片６０，６１に重合させるとともに，上記底部壁板４５の挿込み片６６，６７を，既に起立している上記左右側部壁板４２，４３の上縁に位置する切溝６０２，６１２に挿し込む。
また，上記底部壁板４５の外端辺縁に連設している後側部壁板４６を折曲線４５１で直角に折り曲げて，既に起立させている上記折曲げ縁片６８に外接する状態で重合し，挿込み片６９を対応位置する切溝６８２に挿し込む。
【００５４】
これにより，図１５に底部を上向きにして示す，方形で内空の箱体ｆの組み立てが完了し，それは，折曲げ縁片の各々に所要の接着剤を塗布して当該部分を固着することもできるが，各折り曲げ部分の折癖と，挿込み片の対向する切溝への挿込みだけでその組み立て完了状態を維持ができるもので，このことは，実施例１，２の場合と同様である。  
【００５５】
この箱体ｆもまた実施例１，２の箱体ｂ，ｄの場合と同じように，一見，単なる方形の何の変哲もないものに見える。
しかし，天井部壁板４１に，鋸歯状切込み線４７と折曲線４７１，４７２，４７３で鰐の上顎部４８を囲繞表示するとともに，底部壁板４５に，一部鋸歯状切込み線４９と折曲線４９１で鰐の下顎部５０と一部段付き切込み線５１１と折曲線５１２で鰐の尻尾５１とを囲繞表示し，さらに，左側部壁板４２に，切込み線５２と折曲線５２１，切込み線５３と折曲線５３１で鰐の左前後の脚５４，５５を，また，右側部壁板４３には，切込み線５６と折曲線５６１，切込み線５７と折曲線５７１で鰐の右前後の脚５８，５９を囲繞表示しているから，これら上顎部４８，下顎部５０，尻尾５１，左右前後の脚５４，５５，５８，５９を，それぞれに対応する切込み線から切り離すとともに，折曲線４７１，４７２，４７３，４７４，４７５，４９１等を利用し折曲しながら外方に適宜展延する。
【００５６】
これによって，左右側部壁板４２，４３，前後側部壁板４４，４６が胴体をなした所定の鰐の形態を具現化できるものである（図１６，１７）。
【図面の簡単な説明】
【００５７】
【図１】本考案の象を具現化しようとする第１実施例の台紙の展開内面図である。
【図２】上記台紙により箱体を組み立てようとしている状態の斜視図である。
【図３】上記台紙により組み立てた箱体をその底部を上向きにして示す斜視図である。
【図４】上記台紙により組み立てた箱体を，その天井部を上向きにして示す斜視図である。
【図５】上記箱体の各面をなす壁板から所要部分を切り起こして象の形態を具現し，斜め下方から見た状態の斜視図である。
【図６】上記箱体の各面をなす壁板から所要部分を切り起こして象の形態を具現し，左側斜め上方から見た状態の斜視図である。
【図７】本考案の亀を具現化しようとする第２実施例の台紙の展開内面図である。
【図８】上記台紙により箱体を組み立てようとしている状態の斜視図である。
【図９】上記台紙により組み立てた箱体をその底部を上向きにして示す斜視図である。
【図１０】上記台紙により組み立てた箱体の底部壁板の一部を切り起こして亀の頭を突出させた状態示す斜視図である。
【図１１】上記箱体の各面をなす壁板から所要部分を切り起こして亀の形態を具現した状態の右側から見た斜視図である。
【図１２】上記箱体の各面をなす壁板から所要部分を切り起こして亀の形態を具現した状態の左側から見た斜視図である。
【図１３】本考案の鰐を具現化しようとする第３実施例の台紙の展開内面図である。
【図１４】上記台紙により箱体を組み立てようとしている状態の斜視図である。
【図１５】上記台紙により組み立てた箱体をその底部壁板を上向きにして示す斜視図である。
【図１６】上記台紙により組み立てた箱体を，その天井部壁板から鰐の上顎部を切り起こした状態の斜視図である。
【図１７】上記箱体の各面をなす壁板から所要部分を切り起こして鰐の形態を具現し，左側斜め上方から見た状態の斜視図である。
【符号の説明】
【００５８】
ａ，ｃ，ｅ    台紙
ｂ，ｄ，ｆ    箱体  
１〜６        壁板
７１，７２，７３ 切込み線
２１〜２６    壁板
４１〜４６    壁板
【図１】
0003120779.tif 000003
【図２】
0003120779.tif 000004
【図３】
0003120779.tif 000005
【図４】
0003120779.tif 000006
【図５】
0003120779.tif 000007
【図６】
0003120779.tif 000008
【図７】
0003120779.tif 000009
【図８】
0003120779.tif 000010
【図９】
0003120779.tif 000011
【図１０】
0003120779.tif 000012
【図１１】
0003120779.tif 000013
【図１２】
0003120779.tif 000014
【図１３】
0003120779.tif 000015
【図１４】
0003120779.tif 000016
【図１５】
0003120779.tif 000017
【図１６】
0003120779.tif 000018
【図１７】
0003120779.tif 000019